(57)【特許請求の範囲】
【請求項１】
取付部材及びこの取付部材を介して所定の取付箇所に着脱可能に取り付けられる無線端末本体を備えた無線端末であって、
前記取付部材は、平板状のマグネットと、前記マグネットの一面に固定された平板状の取付金具と、前記取付金具の一側面に立設され前記マグネットの一面と平行に伸びる延伸部を有する引っ掛け部と、前記マグネット及び取付金具の各々を貫通して設けられた孔と、前記マグネット側から前記孔に挿通されるネジと、を有し、
前記無線端末本体は、前記取付部材が取り付けられる取付面に、前記引っ掛け部に係合する引っ掛け溝部と、前記引っ掛け部に前記引っ掛け溝部を係合させたときに前記マグネットに対応する位置に設けられ該マグネットと磁力により接合する金属板と、前記ネジと裸合するネジ穴と、を有し、
前記取付部材は、前記ネジが前記無線端末本体のネジ穴に螺合することで該無線端末本体に取り付けられる又は前記ネジが前記取付箇所に設けられたネジ穴に螺合することで該取付箇所に取り付けられ、
前記引っ掛け部の延伸部は、前記取付部材の両端面の中間位置に配置されていることを特徴とする無線端末。
【請求項２】
前記取付金具は、前記マグネットの側面の少なくとも一部を覆っていることを特徴とする請求項１に記載の無線端末。
【請求項３】
前記無線端末本体は、その取付面に交換部材の交換のために設けられた開口を更に備え、
前記取付部材は、前記開口に対応する形状に構成され、前記無線端末本体に取り付けられたときに前記開口を覆う蓋となることを特徴とする請求項１又は請求項２に記載の無線端末。
【請求項４】
前記マグネットの孔は、前記ネジが挿通されたときに該ネジのネジ頭を収容する凹部を有することを特徴とする請求項１乃至請求項３のいずれか一項に記載の無線端末。
【発明の詳細な説明】
【技術分野】
【０００１】
本発明は、取付部材と、この取付部材を介して所定の取付箇所に着脱可能に取り付けられる無線端末本体と、を備えた無線端末に関する。
【背景技術】
【０００２】
従来から、リモコンやセンサ等の無線端末本体は、所定の取付箇所に取付部材を介して着脱可能に取り付けられ、必要に応じて取付部材から取り外されて使用されることがある。このようなものとして、例えば、図９及び図１０に示すように、取付部材２００と、取付部材２００に着脱可能に取り付けられる無線端末本体３００と、を備えた無線端末１００が知られている（例えば、特許文献１参照）。
【０００３】
取付部材２００は、固定面２１０Ａを介して壁面Ｗに固定される平板状の取付金具２１０と、取付金具２１０の固定面２１０Ａとは反対側の面に固定された平板状のマグネット２２０と、を有する。また、取付部材２００は、取付金具２１０の上面に設けられ無線端末本体３００を保持するための引っ掛け部２３０を有する。引っ掛け部２３０は、取付金具２１０の上面に立設されマグネット２２０側に屈曲した屈曲部２３０ａと、屈曲部２３０ａの端部から固定面２１０Ａと平行に伸びる延伸部２３０ｂと、を有する（図１０（ｂ）参照）。延伸部２３０ｂは、マグネット２２０と面一となるように構成されている。取付部材２００は、壁面Ｗにネジ２４０によってネジ止めされている。
【０００４】
無線端末本体３００は、取付部材２００が取り付けられる取付面３００Ａに、引っ掛け部２３０に係合する引っ掛け溝部３１０と、引っ掛け部２３０に引っ掛け溝部３１０を係合させたときにマグネット２２０と磁力により接合する金属板３２０と、を有する。
【０００５】
壁面Ｗにネジ止めされた取付部材２００に無線端末本体３００を取り付けるには、引っ掛け部２３０に引っ掛け溝部３１０を係合させた後、マグネット２２０と金属板３２０とを互いに接合させる。これにより、引っ掛け部２３０と引っ掛け溝部３１０との係合、そしてマグネット２２０と金属板３２０との接合という２つの異なる機構によって、無線端末本体３００が取付部材２００を介して壁面Ｗに取り付けられる。
【０００６】
この無線端末１００では、取付部材２００が、そのマグネット２２０が外側に露出される向きで壁面Ｗに取り付けられている。しかしながら、例えば、取付箇所が金属面等であり取付部材２００をネジ止めできず、その一方で、この取付箇所が磁性体により構成されており、マグネット２２０を介して無線端末本体３００を取り付けることができるケースがある。このようなケースでは、図１１及び図１２に示すように、取付部材２００は、マグネット２２０（ドットで示す）が外側に露出される向きで、無線端末本体３００の取付面３００Ａにネジ２４０によってネジ止めされる。そして、無線端末１００をマグネット２２０を介して磁性取付面Ｍに取り付ける。
【先行技術文献】
【特許文献】
【０００７】
【特許文献１】特開平６−１８０２９号公報
【発明の概要】
【発明が解決しようとする課題】
【０００８】
しかしながら、上述したような無線端末１００では、取付部材２００を無線端末本体３００にネジ止めした場合には、延伸部２３０ｂと磁性取付面Ｍとの間にスペースが無く、引っ掛け部２３０と引っ掛け溝部３１０とが互いに係合しない（図１２（ｂ）参照）。そのため、取付部材２００は、ネジ２４０によるネジ止めだけで無線端末本体３００に固定されている。このような状態では、無線端末１００の磁性取付面Ｍへの着脱でネジ２４０に大きな応力が繰り返しかかると、ネジ２４０が緩んで取付部材２００が無線端末本体３００から浮いたり、ネジ２４０が脱落して取付部材２００が無線端末本体３００から外れる虞がある。
【０００９】
特に、例えば、無線端末１００が、人から放射される熱線を検出することで人を検知する熱線センサにより構成されている場合、このような熱線センサは、比較的低い位置に取り付けられることがある。従って、熱線センサを磁性取付面Ｍから取り外す際には、図１２（ａ）に示す矢印方向の力が熱線センサにかかることになる。この場合、取付部材２００の上端部が無線端末本体３００から浮いて歪み、取付部材２００が破損したり無線端末本体３００から脱落する虞がある。
【００１０】
本発明は、上記課題を解決するものであって、取付部材の無線端末本体に対する取付向きに依らず、取付部材を無線端末本体に堅固に取り付けることができる無線端末を提供することを目的とする。
【課題を解決するための手段】
【００１１】
本発明の無線端末は、取付部材及びこの取付部材を介して所定の取付箇所に着脱可能に取り付けられる無線端末本体を備え、前記取付部材は、平板状のマグネットと、前記マグネットの一面に固定された平板状の取付金具と、前記取付金具の一側面に立設され前記マグネットの一面と平行に伸びる延伸部を有する引っ掛け部と、前記マグネット及び取付金具の各々を貫通して設けられた孔と、前記マグネット側から前記孔に挿通されるネジと、を有し、前記無線端末本体は、前記取付部材が取り付けられる取付面に、前記引っ掛け部に係合する引っ掛け溝部と、前記引っ掛け部に前記引っ掛け溝部を係合させたときに前記マグネットに対応する位置に設けられ該マグネットと磁力により接合する金属板と、前記ネジと裸合するネジ穴と、を有し、前記取付部材は、前記ネジが前記無線端末本体のネジ穴に螺合することで該無線端末本体に取り付けられる又は前記ネジが前記取付箇所に設けられたネジ穴に螺合することで該取付箇所に取り付けられ、前記引っ掛け部の延伸部は、前記取付部材の両端面の中間位置に配置されていることを特徴とする。
【００１２】
前記取付金具は、前記マグネットの側面の少なくとも一部を覆っていることが好ましい。
【００１３】
前記無線端末本体は、その取付面に交換部材の交換のために設けられた開口を更に備え、前記取付部材は、前記開口に対応する形状に構成され、前記無線端末本体に取り付けられたときに前記開口を覆う蓋となることが好ましい。
【００１４】
前記マグネットの孔は、前記ネジが挿通されたときに該ネジのネジ頭を収容する凹部を有することが好ましい。
【発明の効果】
【００１５】
本発明によれば、引っ掛け部の延伸部が取付部材の両端面の中間位置に配置されているので、取付部材の無線端末本体に対する取付向きに依らず、引っ掛け部と引っ掛け溝部とを互いに係合させて取付部材を無線端末本体に堅固に取り付けることができる。また、取付部材を無線端末本体にネジ止めした場合には、取付部材がネジ止め部位及び引っ掛け部と引っ掛け溝部との係合部位の２点で無線端末本体に接合しているので、無線端末に無理な力がかかっても取付部材が無線端末本体から浮いて歪んだり脱落し難くなる。
【図面の簡単な説明】
【００１６】
【図１】本発明の実施形態に係る無線端末を利用した照明システムの構成を示す図。
【図２】上記無線端末の分解斜視図。
【図３】上記無線端末の斜視図。
【図４】（ａ）は上記無線端末を構成する取付部材をマグネット側から見た斜視図、（ｂ）は同取付部材をマグネット側から見た正面図、（ｃ）は（ｂ）のＩ−Ｉ線断面図及びその一部拡大図。
【図５】（ａ）（ｂ）は、上記無線端末を磁性取付面に取り付ける動作を示す図。
【図６】（ａ）は磁性取付面に取り付けられた上記無線端末の側断面図、（ｂ）は（ａ）の破線で囲んだ領域の拡大図。
【図７】上記無線端末とは逆に取付部材を無線端末本体に取り付けた無線端末の分解斜視図。
【図８】（ａ）は上記無線端末の側断面図、（ｂ）は（ａ）の破線で囲んだ領域の拡大図。
【図９】従来の無線端末の分解斜視図。
【図１０】（ａ）は壁面に取り付けられた上記従来の無線端末の側断面図、（ｂ）は（ａ）の破線で囲んだ領域の拡大図。
【図１１】上記従来の無線端末とは逆に取付部材を無線端末本体に取り付けた従来の無線端末の分解斜視図。
【図１２】（ａ）は磁性取付面に取り付けられた上記従来の無線端末の側断面図、（ｂ）は（ａ）の破線で囲んだ領域の拡大図。
【発明を実施するための形態】
【００１７】
本発明の実施形態に係る無線端末について図１乃至図８を参照して説明する。本実施形態の無線端末は、人から放射される熱線（赤外線）を感知することで人を検知するワイヤレス熱線センサにより構成されている。
【００１８】
図１に示すように、熱線センサ１は、照明制御システム１０の一部を構成している。照明制御システム１０は、複数の熱線センサ１を備え、各々の熱線センサ１による人検知に応じて複数の照明器具１１の点灯を個別に制御する。
【００１９】
照明制御システム１０は、各熱線センサ１からの人検知情報をワイヤレス受信する受信器１２と、各照明器具１１の制御照度等を設定するための無線設定器１３と、受信器１２及び無線設定器１３からの情報を統合処理する伝送ユニット１４と、を備える。また、照明制御システム１０は、伝送ユニット１４からの指示に基づいて各照明器具１１を点灯制御するリレー制御端末器１５と、リレー制御端末器１５からの指示に基づいて各照明器具１１への電力供給を調整する複数のリレー１６と、を備える。
【００２０】
各々の熱線センサ１は、それぞれ種々の場所に配置されている。照明制御システム１０は、特定の熱線センサ１が人を検知すると、その熱線センサ１近傍に配置された照明器具１１を点灯させる。
【００２１】
図２及び図３に示すように、熱線センサ１は、取付部材２と、取付部材２を介して所定の取付箇所に着脱可能に取り付けられるセンサ本体（無線端末本体）３と、を備える。
【００２２】
取付部材２は、略矩形平板状のマグネット２１（ドットで示す）と、マグネット２１の一面に接着材等で固定された略矩形平板状の取付金具２２と、を有する。また、取付部材２は、取付金具２２の上面（一側面）に設けられセンサ本体３を保持するための引っ掛け部２３と、取付金具２２の側面に設けられ取付部材２にセンサ本体３を取り付ける際に部材２、３間の位置合わせに用いられる位置合わせ溝２４と、を有する。取付部材２は、そのマグネット２１が外側に露出される向きで、センサ本体３にネジ２５によりネジ止めされる。
【００２３】
センサ本体３は、取付部材２が取り付けられる取付面３Ａに、取付部材２の引っ掛け部２３に係合する引っ掛け溝部３１と、磁性の金属板３２と、ネジ２５と螺合するネジ穴３３と、を有する（図２参照）。金属板３２は、引っ掛け部２３に引っ掛け溝部３１を係合させたときに、取付部材２（マグネット２１）の引っ掛け部２３から遠い側の端部（下端部）に対向する位置に配設されている。
【００２４】
また、センサ本体３は、その取付面３Ａに交換部材の交換のために設けられた開口３４を有する。ここで言う交換部材とは、例えば、後述する熱線検知素子に電力を供給する電池３５を指す。電池３５によりセンサ本体３を駆動することで、センサ本体３への電力供給のために配線等を敷設する必要が無くなるので、センサ本体３を簡易に設置することができ、上述した照明制御システム１０の導入が簡単になる。開口３４は、取付部材２に対応する形状に構成されている。取付部材２は、センサ本体３に取り付けられたときに開口３４を覆う蓋として機能する。
【００２５】
また、センサ本体３は、取付面３Ａに隣接する側面の各々に、取付部材２にセンサ本体３を取り付ける際に、これら部材２、３の位置合わせに用いられる位置合わせ溝３６を有する。位置合わせ溝３６は、取付部材２の位置合わせ溝２４と合わされたときに、取付部材２の引っ掛け部２３とセンサ本体３の引っ掛け溝部３１とが互いに係合し得る位置に配置されるように設けられている。
【００２６】
更に、センサ本体３は、その下面に自身の下方に存在する人から放射される熱線を検出する熱線検知部３７を有する。熱線検知部３７は、複数の熱線検知素子（不図示）を有する。熱線検知素子は、例えば、パナソニック株式会社製ＮａＰｉＯｎにより構成される。更に、センサ本体３は、その取付面３Ａに自身のアドレス設定や動作保持時間等を設定するための設定つまみ３８を複数有する。これらの設定は、照明制御システム１０の導入時やセンサ本体３の設置場所を変更したときに、センサ本体３を取付部材２から取り外して行われる。
【００２７】
図４（ａ）乃至（ｃ）に示すように、取付部材２の取付金具２２は、マグネット２１の引っ掛け部２３から遠い側の端部の側面（図例では下面）及びマグネット２１の側面を覆っている。また、取付金具２２は、自身を貫通して設けられ自身を所定の取付箇所にネジ止めするためのネジ２５を挿通する複数の孔２６を有する。図例では、複数の孔２６は、取付金具２２の中央に左右方向に互いに隣接して設けられた２つの孔２６ａ、２６ｂと、取付金具２２の下端部中央に設けられた孔２６ｃと、により構成されている。マグネット２１は、これら孔２６ａ、２６ｂ、２６ｃの各々に対応する位置に、それぞれ孔２７ａ、２７ｂ、２７ｃを有する。これら孔２７ａ、２７ｂ、２７ｃは、ネジ２５がマグネット２１側から挿通されたときにネジ２５のネジ頭を収容する凹部を有する。
【００２８】
引っ掛け部２３は、取付金具２２の上面に立設されマグネット２１側に屈曲した屈曲部２３ａと、屈曲部２３ａの端部からマグネット２１の一面と平行に伸びる延伸部２３ｂと、を有する（図３（ｃ）参照）。延伸部２３ｂは、取付部材２の両端面の中間位置に配置されている。これにより、マグネット２１の外表面（取付部材２の一端面）を含む平面と延伸部２３ｂとの間に形成される隙間２８ａと、取付金具２２の外表面（取付部材２の他端面）を含む平面と延伸部２３ｂとの間に形成される隙間２８ｂと、が互いに等しくなる。これら隙間２８ａ、２８ｂは、センサ本体３の引っ掛け溝部３１が入り込むことができる大きさに構成されている。
【００２９】
図２に戻って、取付部材２をセンサ本体３に取り付けるには、まず、センサ本体３の引っ掛け溝部３１を隙間２８ａに入れ込んで、引っ掛け溝部３１と取付部材２の引っ掛け部２３とを係合させる。次いで、ネジ２５をマグネット２１の孔２７ｃ及び取付金具２２の孔２６ｃにマグネット２１側から挿通し、センサ本体３のネジ穴３３に螺合させる。
【００３０】
図５（ａ）（ｂ）に示すように、上記のように構成された熱線センサ１は、その取付部材２のマグネット２１を介して磁性取付面Ｍに磁力により接合される。このとき、図６（ａ）（ｂ）に示すように、取付部材２は、自身の引っ掛け部２３とセンサ本体３の引っ掛け溝部３１との係合、そしてネジ２５によるセンサ本体３へのネジ止めという２つの異なる機構により、センサ本体３に取り付けられている。そのため、無線端末１を磁性取付面Ｍに繰り返し着脱したとしても、この着脱の際にかかる取付部材２への応力が、引っ掛け部２３と引っ掛け溝部３１との係合点及びネジ２５によるネジ止め部に分散されるので、取付部材２の緩みやセンサ本体３からの脱落が抑制される。
【００３１】
また、図６（ａ）に示す矢印方向の力が熱線センサ１にかかったとしても、取付部材２の上端部とセンサ本体３とが引っ掛け部２３と引っ掛け溝部３１との係合により接合されているので、取付部材２がセンサ本体３から浮いて歪んだり脱落することが防止される。
【００３２】
次に、取付部材２を上記とは逆の向きでセンサ本体３に取り付ける場合について図７及び図８を参照して説明する。この場合、取付部材２は、そのマグネット２１が外側に露出される向きで、所定の取付箇所にネジ（不図示）によりネジ止めされる。図例では、取付部材２は、孔２６ａ、２７ａ及び孔２６ｂ、２７ｂのそれぞれにマグネット２１側から挿通されたネジにより壁面Ｗにネジ止めされている。
【００３３】
壁面Ｗに固定された取付部材２にセンサ本体３を取り付けるには、まず、取付部材２の位置合わせ溝２４とセンサ本体３の位置合わせ溝３６とを互いに合わせることで、取付部材２の引っ掛け部２３とセンサ本体３の引っ掛け溝部３１とを互いに係合し得る位置に配置する。次いで、この状態からセンサ本体３を下方に移動させ、引っ掛け溝部３１を隙間２８ｂに入れ込むことで引っ掛け溝部３１と引っ掛け部２３とを係合させる。これにより、取付部材２のマグネット２１の下端部に対向する位置にセンサ本体３の金属板３２が配置され、マグネット２１と金属板３２とが互いに接合する。このようにして、引っ掛け部２３と引っ掛け溝部３１との係合、そしてマグネット２１と金属板３２との接合という２つの異なる機構により、取付部材２にセンサ本体３が取り付けられる。
【００３４】
上述のように、本実施形態の熱線センサ１によれば、取付部材２を介してセンサ本体３を磁性取付面Ｍや壁面Ｗに取り付けることができる。このとき、延伸部２３ｂが取付部材２の両端面の中間位置に配置されているので、取付部材２の無線端末本体３に対する取付向きに依らず、引っ掛け部２３と引っ掛け溝部３１とを互いに係合させて取付部材２を無線端末本体３に堅固に取り付けることができる。
【００３５】
また、取付金具２２がマグネット２１の下面を覆っているので、マグネット２１の下端部における磁力が増強される。これにより、取付部材２のマグネット２１とセンサ本体３の金属板３２とを互いに接合させる場合に、マグネット２１と金属板３２との接合が強固になり、取付部材２をセンサ本体３にしっかりと取り付けることができる。
【００３６】
また、取付部材２がセンサ本体３の開口３４を覆う蓋としても機能するので、別部材を設けることなく、センサ本体３からの電池３５等の交換部材の脱落を防止することができる。
【００３７】
更に、マグネット２１の孔２７にネジ２５のネジ頭を収容する凹部が設けられているので、マグネット２１側から孔２７にネジ２５を挿通した場合に、ネジ２５のネジ頭がマグネット２１の接合面から突出しない。そのため、マグネット２１が磁性取付面Ｍや金属板３２と接合する際に、ネジ２５のネジ頭が邪魔にならないので、マグネット２１と磁性取付面Ｍ又は金属板３２とがしっかりと接合する。
【００３８】
なお、本発明に係る無線端末は、上記実施形態に限定されず、種々の変形が可能である。例えば、無線端末本体は、熱線センサに限定されず、例えば、光照度を検知する照度センサであってもよい。
【符号の説明】
【００３９】
１  熱線センサ（無線端末）
２  取付部材
２１  マグネット
２２  取付金具
２３  引っ掛け部
２３ｂ  延伸部
２５  ネジ
２６、２６ａ、２６ｂ、２６ｃ、２７、２７ａ、２７ｂ、２７ｃ  孔
３  センサ本体（無線端末本体）
３１  引っ掛け溝部
３２  金属板
３３  ネジ穴
３４  開口
３Ａ  取付面
Ｍ  磁性取付面（所定の取付箇所）
Ｗ  壁面（所定の取付箇所）
【図１】
0005899514.tif 000002
【図２】
0005899514.tif 000003
【図３】
0005899514.tif 000004
【図４】
0005899514.tif 000005
【図５】
0005899514.tif 000006
【図６】
0005899514.tif 000007
【図７】
0005899514.tif 000008
【図８】
0005899514.tif 000009
【図９】
0005899514.tif 000010
【図１０】
0005899514.tif 000011
【図１１】
0005899514.tif 000012
【図１２】
0005899514.tif 000013